(57)【要約】【課題】外的要因によってオカリナが発する音の音高が変化しても、音高の調律を可能とすること。【解決手段】保持部２ｃに螺合される保持部材７を時計回りに回転させると、調整板６がガイド２ｂに案内されながら共鳴胴部２の内部に向けて移動する。この際、共鳴胴部２の内部容積が小さくなり、共鳴胴部２の空洞共振の周波数が大きくなり、空洞共振によって発生する音の音高が高くなる。一方、保持部材７を反時計回りに回転させると調整板６がガイド２ｂに案内されながら共鳴胴部２の外部へ向けて移動する。この際、共鳴胴部２の内部容積が大きくなり、共鳴胴部２の空洞共振の周波数が小さくなり、空洞共振によって発生する音の音高が低くなる。【選択図】図１
0003141194.tif 000002
【実用新案登録請求の範囲】
【請求項１】
内部に空洞が形成され、内部と外部とを連通させる複数個の指孔および歌口がその周りに形成された共鳴胴部と、
筒状であり、前記共鳴胴部と一体に形成され、呼気を吹き込むための吹口と前記吹口から前記共鳴胴部まで連通し、前記吹口から吹き込まれた呼気を前記共鳴胴部の前記歌口へ導く気道とを有する笛口部と、
を備え、前記呼気が前記気道を経由して前記歌口から外部に出ていく際に振動が発生し、その発生した振動が前記共鳴胴部内に空洞共振を起こすことによって音を発するオカリナであって、
前記共鳴胴部は空洞共振の周波数が可変に構成されていることを特徴とするオカリナ。
【請求項２】
請求項１に記載のオカリナにおいて、
前記共鳴胴部は、その内部容積に対する開口面積の和の比率が可変に構成されることにより、前記空洞共振の周波数が可変となっていることを特徴とするオカリナ。
【請求項３】
請求項１または請求項２に記載のオカリナにおいて、
前記共鳴胴部は、その内部容積が可変に構成されることにより、前記空洞共振の周波数が可変となっていることを特徴とするオカリナ。
【請求項４】
請求項３に記載のオカリナにおいて、
前記共鳴胴部は、その内壁面の少なくとも一部が可変に構成されることで、その内部容積が可変となっていることを特徴とするオカリナ。
【請求項５】
請求項４に記載のオカリナにおいて、
前記共鳴胴部は、その内壁面の少なくとも一部が当該共鳴胴部の内部または外部へ向けて移動可能に構成されることにより、前記内壁面の少なくとも一部が可変となっていることを特徴とするオカリナ。
【請求項６】
請求項３〜請求項５の何れかに記載のオカリナにおいて、
前記共鳴胴部の内壁面の一部を支持してその位置を保持する保持部材を備え、
前記共鳴胴部には、内部と外部とを連通する連通孔の内部に雌螺子が形成された雌螺子部が形成されており、
前記保持部材は、軸状に形成され、その周囲の一部に前記共鳴胴部の前記雌螺子部と螺合可能な雄螺子部が形成され、その先端部が前記共鳴胴部の内部に位置するとともにその後端部が前記共鳴胴部の外部に位置し、且つ前記雄螺子部が前記共鳴胴部の前記雌螺子部と螺合するように前記共鳴胴部に取り付けられ、軸周り方向の回転に伴って軸方向に沿って移動可能であり、さらに、前記先端部に前記共鳴胴部の内壁面の一部が取り付けられ、
前記保持部材の軸周り方向の回転に伴って、前記内壁面の一部が前記共鳴胴部の内部または外部へ向けて移動可能に構成されていることを特徴とするオカリナ。
【請求項７】
請求項１〜請求項６の何れかに記載のオカリナにおいて、
前記共鳴胴部は前記開口面積の和が可変に構成されることにより、前記空洞共振の周波数が可変となっていることを特徴とするオカリナ。
【請求項８】
請求項７に記載のオカリナにおいて、
前記共鳴胴部には、内部と外部とを連通させ、前記開口面積を調整するための調整孔が形成され、さらに、前記調整孔を閉鎖する閉鎖状態と前記調整孔を開放する開放状態との間を、前記調整孔の開口具合を変化させながらその姿勢を変更可能な調整部材を備えることにより、前記開口面積の和が可変となっていることを特徴とするオカリナ。
【請求項９】
請求項８に記載のオカリナにおいて、
前記調整部材には、前記閉鎖位置にあるときには前記調整孔と連通せず、一方、前記開放位置にあるときには前記調整孔と連通する貫通孔が形成され、前記調整孔と前記貫通孔との相対位置を変化させることで前記調整孔の開口具合を変化させることが可能となっていることを特徴とするオカリナ。
【請求項１０】
請求項９に記載のオカリナにおいて、
前記調整部材は、前記共鳴胴部に回転可能に支持され、回転に伴って前記共鳴胴部の前記調整孔と前記貫通孔との相対位置が変化可能に構成されていることを特徴とするオカリナ。
【請求項１１】
請求項１０に記載のオカリナにおいて、
前記調整孔は、一方の端部が円弧状であり、その円弧状の部分から他方の端部に近づくに従ってその幅寸法が小さくなる長孔形状に形成されており、
前記貫通孔は、一方の端部が円弧状に形成され、その円弧状の部分から他方の端部に近づくに従ってその幅寸法が小さくなる長孔形状に形成され、その円弧状の部分と前記調整孔の円弧状の部分とが重なり合う際に、その最も細い部分と前記調整孔の最も細い部分とが重ならないように配置されていること
を特徴とするオカリナ。
【請求項１２】
請求項１０または請求項１１に記載のオカリナにおいて、
前記共鳴胴部には、前記調整部材を回転可能に取り付けるための取付孔が形成され、
前記調整部材は、円盤状の調整部材本体のほぼ中央から軸状の軸部が延出した形状を有し、前記軸部の外径寸法については前記取付孔の内径寸法より小さく設定され、前記軸部の先端部については、その外径寸法が前記取付孔の内径寸法よりも大きく設定され、前記軸部の先端部が弾性のある材料で形成され、前記軸部を前記共鳴胴部の外側から前記取付孔に挿入する際にその外径寸法が小さくなって前記共鳴胴部の前記取付孔を通過し、通過後はその外径寸法が元の寸法に戻るように構成されていること
を特徴とするオカリナ。
【考案の詳細な説明】
【技術分野】
【０００１】
本考案は、気鳴楽器の一種であるオカリナに関する。
【背景技術】
【０００２】
オカリナは、空気そのものが振動して発音体となり音を発する気鳴楽器の一種であり、一般的に共鳴胴部と、その共鳴胴部と一体に形成された笛口部とから構成されている（特許文献１参照）。この共鳴胴部は、内部が空洞になっており、周りに複数個の指孔が穿設されている。また、笛口部は、その先端の吹口から共鳴胴部にまで連通する気道を有する。また、共鳴胴部には、笛口部の気道に連通し、共鳴胴部の内部から外部に貫通する歌口が形成されている。このように構成されたオカリナは、演奏者がオカリナの共鳴胴部を両手で支えて笛口部の吹口から息を吹き込むと、その呼気が笛口部の気道を経て共鳴胴部の歌口から外部に出ていく際に振動が発生し、その発生した振動が共鳴胴部内に空洞共振を起こすことによって音を発する。
【特許文献１】特開２００６−２８４９９６号公報（第３，４頁、図１，２）
【考案の開示】
【考案が解決しようとする課題】
【０００３】
しかし、上述のような従来のオカリナにおいては、例えば温度、湿度、気圧などの外的な要因により、その発する音の音高が変化することがあった。その理由は、上述したようにオカリナが共鳴胴部の内部に存在する空気そのものを振動させて音を発する気鳴楽器であるため、温度、湿度、気圧などの外的な要因により共鳴胴部の内部の空気の密度が変化すると共鳴胴部内部で発生する空洞共振の周波数が変化し、空洞共振によって発生する音の音高が変化するためと考えられる。
【０００４】
本考案は、このような不具合に鑑みなされたものであり、その目的とするところは、外的要因によってオカリナが発する音の音高が変化しても、音高の調律を可能とすることにある。
【課題を解決するための手段】
【０００５】
上記課題を解決するためになされた請求項１に係るオカリナは、内部に空洞が形成され、内部と外部とを連通させる複数個の指孔および歌口がその周りに形成された共鳴胴部と、筒状であり、前記共鳴胴部と一体に形成され、呼気を吹き込むための吹口と前記吹口から前記共鳴胴部まで連通し、前記吹口から吹き込まれた呼気を前記共鳴胴部の前記歌口へ導く気道とを有する笛口部と、を備え、前記呼気が前記気道を経由して前記歌口から外部に出ていく際に振動が発生し、その発生した振動が前記共鳴胴部内に空洞共振を起こすことによって音を発するオカリナであって、前記共鳴胴部は空洞共振の周波数が可変に構成されていることを特徴とする。
【０００６】
このように構成された本考案のオカリナによれば、上述のように共鳴胴部の空洞共振の周波数が可変に構成されているので、演奏者が共鳴胴部の空洞共振の周波数を変化させると、吹口から吹き込まれた呼気が気道を経て歌口から外部へ導かれる際に、空洞共振の周波数の変化に起因して、発生する音の音高が変化する。例えば、共鳴胴部の空洞共振の周波数が大きくなると、空洞共振によって発生する音の音高が高くなり、一方、共鳴胴部の空洞共振の周波数が小さくなると、空洞共振によって発生する音の音高が低くなるといった具合である。したがって、外的要因によってオカリナが発する音の音高が変化しても、音高の調律を行うことができる。
【０００７】
なお、上述のように共鳴胴部の空洞共振の周波数を可変とするために、（イ）共鳴胴部の内部容積に対する開口面積の和の比率を可変に構成すること（請求項２）や、（ロ）共鳴胴部の内部容積を可変に構成すること（請求項３）、（ハ）共鳴胴部の開口面積の和を可変に構成すること（請求項７）、が考えられる。
【０００８】
まず、（イ）共鳴胴部の内部容積に対する開口面積の和の比率を可変とするために、または（ロ）共鳴胴部の内部容積を可変とするためには、共鳴胴部の内壁面の少なくとも一部を可変に構成することが考えられる(請求項４)。例えば、共鳴胴部の内壁面の少なくとも一部を当該共鳴胴部の内部または外部へ向けて移動可能に構成するといった具合である（請求項５）。ここで、具体的な機構例を説明する。すなわち、請求項６のように、共鳴胴部の内壁面の一部を支持してその位置を保持する保持部材を備え、共鳴胴部には、内部と外部とを連通する連通孔の内部に雌螺子が形成された雌螺子部が形成されている。そして、保持部材は、軸状に形成され、その周囲の一部に共鳴胴部の雌螺子部と螺合可能な雄螺子部が形成され、その先端部が共鳴胴部の内部に位置するとともにその後端部が共鳴胴部の外部に位置し、且つ雄螺子部が共鳴胴部の雌螺子部と螺合するように共鳴胴部に取り付けられ、軸周り方向の回転に伴って軸方向に沿って移動可能である。さらに、保持部材の先端部に共鳴胴部の内壁面の一部が取り付けられている。そして、保持部材の軸周り方向の回転に伴って、その内壁面の一部が共鳴胴部の内部または外部へ向けて移動可能に構成されている。
【０００９】
また、上述のように、（イ）共鳴胴部の内部容積に対する開口面積の和の比率を可変とするために、または（ハ）共鳴胴部の開口面積の和を可変とするためには、共鳴胴部に、開口具合を調整可能な調整孔を形成することが考えられる。具体的には、請求項８のように、共鳴胴部には、内部と外部とを連通させ、開口面積を調整するための調整孔が形成され、さらに、調整孔を閉鎖する閉鎖状態と調整孔を開放する開放状態との間を、調整孔の開口具合を変化させながらその姿勢を変更可能な調整部材を備えることにより、開口面積の和が可変となっていることが考えられる。
【００１０】
この場合、調整部材には、閉鎖位置にあるときには調整孔と連通せず、一方、開放位置にあるときには調整孔と連通する貫通孔が形成され、調整孔と貫通孔との相対位置を変化させることで調整孔の開口具合を変化させることが可能となっていることが考えられる（請求項９）。さらに、調整部材が、共鳴胴部に回転可能に支持され、回転に伴って共鳴胴部の調整孔と貫通孔との相対位置が変化可能に構成されていることが考えられる(請求項１０)。
【００１１】
この場合、請求項１１のように、調整孔が、一方の端部が円弧状であり、その円弧状の部分から他方の端部に近づくに従ってその幅寸法が小さくなる長孔形状に形成されており、貫通孔が、一方の端部が円弧状に形成され、その円弧状の部分から他方の端部に近づくに従ってその幅寸法が小さくなる長孔形状に形成され、その円弧状の部分と調整孔の円弧状の部分とが重なり合う際に、その最も細い部分と調整孔の最も細い部分とが重ならないように配置されていることが考えられる。このことにより、例えば調整部材を時計回りに回転させると、貫通孔と調整孔とが連通しない状態から、貫通孔の円弧状の部分と調整孔の円弧状の部分とが最初に重なり始め、貫通孔の円弧状の部分と調整孔の円弧状の部分とが完全に重なり合う(図２（ｃ）参照)。さらに調整部材を回転させると、貫通孔と調整孔とが重なり合う面積が徐々に減少して(図２（ｄ）および図２（ｅ）参照)、貫通孔の最も細い部分と調整孔の最も細い部分とのみが重なり合う状態となり(図２（ｆ）参照)、再び貫通孔と調整孔と連通しない状態となる。したがって、調整部材の回転に応じて、調整孔の開口具合を微調整することができる。
【００１２】
また、請求項１２のように、共鳴胴部には、調整部材を回転可能に取り付けるための取付孔が形成され、調整部材が、円盤状の調整部材本体のほぼ中央から軸状の軸部が延出した形状を有し、その軸部の外径寸法については共鳴胴部の取付孔の内径寸法より小さく設定され、その軸部の先端部については、その外径寸法が取付孔の内径寸法よりも大きく設定され、その軸部の先端部が弾性のある材料で形成され、軸部を共鳴胴部の外側から取付孔に挿入する際にその外径寸法が小さくなって取付孔を通過し、通過後はその外径寸法が元の寸法に戻るように構成されていることが考えられる。
【考案を実施するための最良の形態】
【００１３】
以下に本考案の実施形態を図面とともに説明する。
［第一実施形態］
図１（ａ）はオカリナ１の部分破断側面図であり、図１（ｂ）は図１（ａ）のＣ部拡大図である。
【００１４】
図１（ａ）に示すように、オカリナ１は、内部に空洞な共鳴空間が形成された共鳴胴部２と、共鳴胴部２に一体に形成され、その先端部に奏者の口があてがわれる吹口３ａを有する笛口部３とを備えている。なお、本実施形態においては、オカリナ１は粘土の焼き物であるが、オカリナ１としての基本形態を備えていれば、合成樹脂や金属などその材質や形状は任意である。また、本実施形態においては、共鳴胴部２が後述する調整機構５を備えるために、共鳴胴部２および笛口部３を上半体と下半体とに分けて分割成型可能に構成されている。また、オカリナ１の大きさは音域によって異なり、最も一般的な大きさであるＭＣ（ミドルＣ調管）や、Ｇ調管、Ｆ調管などが挙げられる。
【００１５】
笛口部３には、吹口３ａと共鳴胴部２の内部空間とを連通する気道３ｂがその内部に設けられている。また、共鳴胴部２には、笛口部３の気道３ｂに連通し、共鳴胴部２の内部から外部に貫通する歌口２ａが形成されている。
【００１６】
また、共鳴胴部２には、内部の共鳴空間に連通する合計１０カ所の指孔４ａ〜４ｊが穿設されている。各指孔４ａ〜４ｊの内、指孔４ａは「第１指孔」と呼ばれ、右手の小指によって操作される。また、指孔４ｂは「第２指孔」と呼ばれ、右手の薬指によって操作される。また、指孔４ｃは「第３指孔」と呼ばれ右手の中指によって操作される。また、指孔４ｄは「第４指孔」と呼ばれ右手の人指し指によって操作される。また、指孔４ｅは「第５指孔」と呼ばれ、左手の薬指によって操作される。また、指孔４ｆは「第６指孔」と呼ばれ、左手の中指によって操作される。また、指孔４ｇは「第７指孔」と呼ばれ、左手の人指し指によって操作される。また、指孔４ｈは「第８指孔」と呼ばれ、左手の親指によって操作される。また、指孔４ｉは「第９指孔」と呼ばれ、右手の親指によって操作される。また、指孔４ｊは「第１０指孔」と呼ばれ、左手の小指によって操作される。
【００１７】
なお、本実施形態では、歌口２ａおよび指孔４ａ〜４ｊの開口面積の和が、共鳴胴部２の開口面積と定義される。
このように構成されたオカリナ１は、奏者がオカリナの共鳴胴部２を両手で支えて笛口部３の吹口３ａから息を吹き込むと、その呼気が笛口部３の気道３ｂを経て共鳴胴部２の歌口２ａから外部に出ていく際に振動が発生し、その発生した振動が共鳴胴部２内に空洞共振を起こすことによって音を発する。その際、奏者が１０カ所の指孔４ａ〜４ｊを指で塞ぐ組み合わせにより、共鳴胴部２の空洞共振の周波数が変化し、その空洞共振の周波数に応じて共鳴胴部２が発する音の音高が変化する。
【００１８】
また、図１（ｂ）に示すように、オカリナ１は、共鳴胴部２の空洞共振の周波数を調整するために共鳴胴部２の内部容積を調整可能な調整機構５を備えている。なお、本実施形態では、この調整機構５が共鳴胴部２の左端部に構成されているが、調整機構５を共鳴胴部２の他の部分に構成するようにしてもよい。
【００１９】
この調整機構５は、円盤状に形成され、共鳴胴部２の内壁面の一部を形成する調整板６と、調整板６を回転可能に支持してその位置を保持するための軸状の保持部材７と、共鳴胴部２の内部に形成され、調整板６の移動を案内するガイド２ｂと、共鳴胴部２の内部に形成され、保持部材７を内挿可能な保持部２ｃと、から構成される。
【００２０】
このうち保持部２ｃは、共鳴胴部２の内部と外部とを連通する連通孔の内部に雌螺子２ｅが形成された構成を有している。なお、保持部２ｃは特許請求の範囲における雌螺子部に相当する。
【００２１】
また、保持部材７は、軸状に形成され、その周囲の一部に保持部２ｃの雌螺子２ｅと螺合可能な雄螺子部７ｂが形成されている。また、保持部材７の先端部７ａには、調整板６が回転可能に取り付けられている。そして、保持部材７は、その先端部７ａが共鳴胴部２の内部に位置するとともにその後端部７ｃが共鳴胴部２の外部に位置し、且つ雄螺子部７ｂが共鳴胴部２の雌螺子２ｅと螺合するように共鳴胴部２の保持部２ｃに取り付けられ、軸周り方向の回転に伴って軸方向に沿って移動可能である。この際、保持部材７の軸方向への移動に伴って、調整板６も保持部材７の軸方向に沿って移動する。
【００２２】
また、ガイド２ｂは、筒状に構成され、その内径寸法については、調整板６の外径寸法とほぼ等しく形成されており、移動する調整板６との間に常に気密性を保つようになっている。
【００２３】
このような調整機構５を備えることにより、オカリナ１は、保持部材７が軸周り方向の回転に伴って軸方向に沿って移動すると、調整板６も保持部材７の軸方向に沿って移動して、共鳴胴部２の内部容積が変化する。具体的には、保持部２ｃに螺合される保持部材７を時計回り（図１（ｂ）中のＡ方向）に回転させると保持部材７が共鳴胴部２の内部に向けて移動し（図１（ｂ）中のＢ方向）、この保持部材７の移動に伴って調整板６がガイド２ｂに案内されながら共鳴胴部２の内部に向けて移動する。この際、共鳴胴部２の内部容積が小さくなる。このように共鳴胴部２の内部容積が小さくなると、共鳴胴部２の空洞共振の周波数が大きくなり、空洞共振によって発生する音の音高が高くなる。一方、保持部材７を反時計回りに回転させると保持部材７が反対方向である共鳴胴部２の外部へ向けて移動し、この保持部材７の移動に伴って調整板６がガイド２ｂに案内されながら反対方向である共鳴胴部２の外部へ向けて移動する。この際、共鳴胴部２の内部容積が大きくなる。このように共鳴胴部２の内部容積が大きくなると、共鳴胴部２の空洞共振の周波数が小さくなり、空洞共振によって発生する音の音高が低くなる。
【００２４】
［第一実施形態の効果］
このように第一実施形態のオカリナ１によれば、保持部材７が軸周り方向の回転に伴って軸方向に沿って移動すると、調整板６も保持部材７の軸方向に沿って移動して、共鳴胴部２の内部容積が変化する。具体的には、保持部２ｃに螺合される保持部材７を時計回りに回転させると調整板６がガイド２ｂに案内されながら共鳴胴部２の内部に向けて移動する。この際、共鳴胴部２の内部容積が小さくなり、共鳴胴部２の空洞共振の周波数が大きくなり、空洞共振によって発生する音の音高が高くなる。一方、保持部材７を反時計回りに回転させると調整板６がガイド２ｂに案内されながら共鳴胴部２の外部へ向けて移動する。この際、共鳴胴部２の内部容積が大きくなり、共鳴胴部２の空洞共振の周波数が小さくなり、空洞共振によって発生する音の音高が低くなる。
【００２５】
つまり、共鳴胴部２の内壁面の一部である調整板６が共鳴胴部２の内部または外部へ向けて移動可能であり、このことにより、共鳴胴部２の内壁面の一部が可変となっている。そして、共鳴胴部２の内壁面の一部が可変であるために、共鳴胴部２の内部容積が可変となっている。そして、共鳴胴部２の内部容積が可変であるために、共鳴胴部２の空洞共振の周波数が可変となっている。なお、共鳴胴部２の内部容積が可変であるために、共鳴胴部２の内部容積に対する開口面積の和の比率が可変となっており、このことからも共鳴胴部２の空洞共振の周波数が可変となっている。
【００２６】
したがって、外的要因によってオカリナ１が発する音の音高が変化しても、音高の調律を行うことができる。
［第二実施形態］
上記第一実施形態では、上述のように、共鳴胴部２の空洞共振の周波数を調整するために共鳴胴部２の内部容積を調整可能な調整機構５を備えている。これに対して第二実施形態では、共鳴胴部２の空洞共振の周波数を調整するために共鳴胴部２の開口面積を調整可能な調整機構１５を備えることを特徴とする。
【００２７】
図２（ａ）はオカリナ１１の部分破断側面図であり、図２（ｂ）は調整機構１５を示す斜視図である。また、図２（ｃ）〜（ｆ）は図２（ａ）におけるＤ矢視面図である。
図２（ａ）に示すように、オカリナ１１は、内部に空洞な共鳴空間が形成された共鳴胴部２と、共鳴胴部２に一体に形成され、その先端部に奏者の口があてがわれる吹口３ａを有する笛口部３とを備えている。なお、共鳴胴部２および笛口部３については、上述したのでここでは詳細な説明は省略する。
【００２８】
なお、本実施形態においては、オカリナ１１は粘土の焼き物であるが、オカリナ１１としての基本形態を備えていれば、合成樹脂や金属などその材質や形状は任意である。また、本実施形態においては、共鳴胴部２が後述する調整機構１５を備えるために、共鳴胴部２および笛口部３を上半体と下半体とに分けて分割成型可能に構成されている。また、オカリナ１１の大きさは音域によって異なり、最も一般的な大きさであるＭＣ（ミドルＣ調管）や、Ｇ調管、Ｆ調管などが挙げられる。
【００２９】
また、図２（ｂ）に示すように、オカリナ１１は、共鳴胴部２の空洞共振の周波数を調整するために共鳴胴部２の開口面積を調整可能な調整機構１５を備えている。なお、本実施形態では、この調整機構１５が共鳴胴部２の左端部に構成されているが、調整機構１５を共鳴胴部２の他の部分に構成するようにしてもよい。
【００３０】
この調整機構１５は、共鳴胴部２の左端部に平らに形成され、後述する調整部材８を載置可能な載置部２ｆと、載置部２ｆのほぼ中央に形成され、共鳴胴部２の内部と外部とを連通し、調整部材８を回転可能に取り付けるための取付孔２ｇと、同じく載置部２ｆに形成され、共鳴胴部２の内部と外部とを連通し、共鳴胴部２の開口面積を調整するための調整孔２ｈと、調整部材８と、コイルバネ９と、ナット１０と、から構成されている。
【００３１】
調整孔２ｈは、一方の端部が円弧状であり、その円弧状の部分から他方の端部に近づくに従ってその幅寸法が小さくなる長孔形状に形成されている。
調整部材８は、円盤状の調整部材本体８ａのほぼ中央から軸状の軸部８ｂが延出した形状を有している。なお、軸部８ｂの外径寸法については、共鳴胴部２の取付孔２ｇの内径寸法よりも若干小さく設定されている。また、軸部８ｂの先端部には雄螺子８ｃが形成されており、調整部材８の軸部８ｂを共鳴胴部２の外側から取付孔２ｇに挿入し、その軸部８ｂにコイルバネ９を外挿した状態で、コイルバネ９を圧縮させながら、軸部８ｂの雄螺子８ｃにナット１０が取り付けられている。この際、コイルバネ９の押圧力により、調整部材本体８ａと載置部２ｆとが密着する。このことにより、調整部材８の調整部材本体８ａが、軸部８ｂを中心にして、載置部２ｆに密着しながら回転可能となっている。
【００３２】
また、調整部材本体８ａには、調整部材本体８ａの表側と裏側とを連通する貫通孔８ｄが形成されている。この貫通孔８ｄは、調整部材本体８ａの回転に伴って、貫通孔８ｄが調整孔２ｈの上を通過するように配置されている。また、貫通孔８ｄは、上述の調整孔２ｈと同様に、一方の端部が円弧状に形成され、その円弧状の部分から他方の端部に近づくに従ってその幅寸法が小さくなる長孔形状に形成されている。なお、貫通孔８ｄは、その円弧状の部分と調整孔２ｈの円弧状の部分とが重なり合う際に、その最も細い部分と調整孔２ｈの最も細い部分とが重ならないように配置されている。
【００３３】
調整部材本体８ａを時計回りに回転させると、貫通孔８ｄと調整孔２ｈとが連通しない状態から、貫通孔８ｄの円弧状の部分と調整孔２ｈの円弧状の部分とが最初に重なり始め、貫通孔８ｄの円弧状の部分と調整孔２ｈの円弧状の部分とが完全に重なり合う(図２（ｃ）参照)。さらに調整部材本体８ａを時計回りに回転させると、貫通孔８ｄと調整孔２ｈとが重なり合う面積が徐々に減少して(図２（ｄ）および図２（ｅ）参照)、貫通孔８ｄの最も細い部分と調整孔２ｈの最も細い部分とのみが重なり合う状態となり(図２（ｆ）参照)、再び貫通孔８ｄと調整孔２ｈと連通しない状態となる。したがって、調整部材８の回転に応じて、調整孔２ｈの開口具合を微調整することができるようになっている。
【００３４】
なお、本実施形態では、歌口２ａ、指孔４ａ〜４ｊ、および調整部材８によって開口具合が調整された調整孔２ｈの開口面積の和が、共鳴胴部２の開口面積と定義される。
このことにより、調整機構１５は、調整部材本体８ａの回転に伴って、調整孔２ｈと貫通孔８ｄとの相対位置が変化し、貫通孔８ｄが調整孔２ｈを閉鎖する閉鎖状態と貫通孔８ｄが調整孔２ｈを開放する開放状態との間で、調整孔２ｈの開口具合を変化させることが可能となっている。
【００３５】
［第二実施形態の効果］
このように第二実施形態のオカリナ１１によれば、共鳴胴部２の載置部２ｆに形成された調整孔２ｈが、一方の端部が円弧状に形成され、その円弧状の部分から他方の端部に近づくに従ってその幅寸法が小さくなる長孔形状に形成されており、共鳴胴部２の載置部２ｆに回転可能に支持された調整部材８の貫通孔８ｄが、調整孔２ｈと同様に、一方の端部が円弧状に形成され、その円弧状の部分から他方の端部に近づくに従ってその幅寸法が小さくなる長孔形状に形成されており、調整部材本体８ａの回転に伴って、共鳴胴部２の載置部２ｆの調整孔２ｈの上を通過するように配置されている。そして、調整部材本体８ａが時計回りに回転すると、貫通孔８ｄが、調整孔２ｈとは連通しない状態から、その円弧状の部分が調整孔２ｈの円弧状の部分と最初に重なり合い、その円弧状の部分が調整孔２ｈの円弧状の部分と完全に重なり合う(図２（ｃ）参照)。この際、共鳴胴部２の開口面積の和が大きくなり、共鳴胴部２の空洞共振の周波数が大きくなり、空洞共振によって発生する音の音高が高くなる。さらに、調整部材本体８ａが時計回りに回転すると、貫通孔８ｄが、その円弧状の部分が調整孔２ｈの円弧状の部分と完全に重なり合う状態から、調整孔２ｈと重なり合う面積が徐々に減少して(図２（ｄ）および図２（ｅ）参照)、その最も細い部分が調整孔２ｈの最も細い部分とのみ重なり合う状態となり(図２（ｆ）参照)、再び調整孔２ｈと連通しない状態となる。この際、共鳴胴部２の開口面積の和が小さくなり、共鳴胴部２の空洞共振の周波数が小さくなり、空洞共振によって発生する音の音高が低くなる。
【００３６】
つまり、共鳴胴部２の載置部２ｆの調整孔２ｈの開口具合を調整可能であり、このことにより、共鳴胴部２の開口面積の和が可変となっている。そして、共鳴胴部２の開口面積の和が可変であるために、共鳴胴部２の空洞共振の周波数が可変となっている。なお、共鳴胴部２の開口面積の和が可変であるために、共鳴胴部２の内部容積に対する開口面積の和の比率が可変となっており、このことからも共鳴胴部２の空洞共振の周波数が可変となっている。
【００３７】
したがって、外的要因によってオカリナ１１が発する音の音高が変化しても、音高の調律を行うことができる。
［他の実施形態］
以上、本考案の一実施形態について説明したが、本考案は上記実施形態に限定されるものではなく、様々な態様にて実施することが可能である。
【００３８】
（１）上記第二実施形態では、調整機構１５の調整部材８の軸部８ｂを共鳴胴部２の外側から取付孔２ｇに挿入し、その軸部８ｂにコイルバネ９を外挿した状態で、コイルバネ９を圧縮させながら、軸部８ｂの雄螺子８ｃにナット１０が取り付けられ、調整部材８の調整部材本体８ａが軸部８ｂを中心にして載置部２ｆに密着しながら回転可能となっているが、これに限られず、図２（ｇ）に例示するように、オカリナ２１が、共鳴胴部２の空洞共振の周波数を調整するために共鳴胴部２の開口面積を調整可能な調整機構２５を備え、この調整機構２５が調整部材８の代わりに調整部材１８を備えるようにしてもよい。この調整機構２５では、調整部材１８の先端部１８ｃが弾力を有する材料で形成され、軸部１８ｂの外径寸法が共鳴胴部２の取付孔２ｇの内径寸法よりも若干小さく設定され、先端部１８ｃの外径寸法が共鳴胴部２の取付孔２ｇの内径寸法ｂよりも大きく設定されている。このように構成すれば、調整部材１８の先端部１８ｃおよび軸部１８ｂを共鳴胴部２の外側から取付孔２ｇに挿入する際にその弾性で外径寸法が小さくなって先端部１８ｃが取付孔２ｇを通過し、通過後は先端部１８ｃの外径寸法が元の寸法に戻るために調整部材１８の軸部１８ｂが共鳴胴部２の取付孔２ｇから抜けにくくなる。また、先端部１８ｃの弾性により、調整部材本体１８ａが載置部２ｆに押し付けられて密着する。このことにより、調整部材１８の調整部材本体１８ａが、軸部１８ｂを中心にして、載置部２ｆに密着しながら回転可能となる。
【００３９】
このように構成しても上記第二実施形態と同様の作用効果を奏する。また、コイルバネ９やナット１０を必要としない分部品点数を低減することができる。また、共鳴胴部２および笛口部３が上半体と下半体とに分割されていない場合でも、調整部材１８を共鳴胴部２に取り付けることができる。
【図面の簡単な説明】
【００４０】
【図１】（ａ）はオカリナ１の部分破断側面図であり、（ｂ）は（ａ）のＣ部拡大図である。
【図２】（ａ）はオカリナ１１の部分破断側面図であり、（ｂ）は調整機構１５を示す斜視図であり、（ｃ）は（ａ）におけるＤ矢視面図（１）であり、（ｄ）は（ａ）におけるＤ矢視面図（２）であり、（ｅ）は（ａ）におけるＤ矢視面図（３）であり、（ｆ）は（ａ）におけるＤ矢視面図（４）であり、（ｇ）は調整機構２５を示す断面図である。
【符号の説明】
【００４１】
１，１１，２１…オカリナ、２…共鳴胴部、２ａ…歌口、２ｂ…ガイド、２ｃ…保持部、２ｅ…雌螺子、２ｆ…載置部、２ｇ…取付孔、２ｈ…調整孔、３…笛口部、３ａ…吹口、３ｂ…気道、４ａ，４ｂ，４ｃ，４ｄ，４ｅ，４ｆ，４ｇ，４ｈ，４ｉ，４ｊ…指孔、５，１５，２５…調整機構、６…調整板、７…保持部材、７ａ…先端部、７ｂ…雄螺子部、７ｃ…後端部、８，１８…調整部材、８ａ，１８ａ…調整部材本体、８ｂ，１８ｂ…軸部、８ｃ…雄螺子、８ｄ，１８ｄ…貫通孔、９…コイルバネ、１０…ナット、１８ｃ…先端部
【図１】
0003141194.tif 000003
【図２】
0003141194.tif 000004